(57)【要約】【課題】イーサネット（登録商標）受動型光加入者ネットワークにおいてＯＡＭ機能ディスカバリー方法を提供する【解決手段】光ファイバによって多数のＯＮＵに接続されたＯＬＴから構成されたイーサネット（登録商標）受動型光加入者ネットワークで伝送ディスカバリーを提供する方法は、ＯＬＴが、多数のＯＮＵからの登録要請によって、それぞれのＯＮＵを識別するための識別子を割り当て、それぞれのＯＮＵの登録順によって、ＯＡＭ機能情報メッセージを登録したＯＮＵに伝送する過程と、ＯＬＴが、ＯＡＭ機能情報メッセージを受信したそれぞれのＯＮＵからＯＡＭ機能情報メッセージを受信する過程と、からなる。【選択図】図３
2004112803.tif 000002
【特許請求の範囲】
【請求項１】
　光ファイバによって多数のＯＮＵに接続されたＯＬＴから構成されたイーサネット（登録商標）受動型光加入者ネットワークで伝送ディスカバリーを提供する方法において、
　ＯＬＴが、多数のＯＮＵからの登録要請によって、それぞれのＯＮＵを識別するための識別子を割り当て、それぞれのＯＮＵの登録順によって、ＯＡＭ機能情報メッセージを登録したＯＮＵに伝送する過程と、
　ＯＬＴが、ＯＡＭ機能情報メッセージを受信したそれぞれのＯＮＵからＯＡＭ機能情報メッセージを受信する過程と、からなることを特徴とする方法。
【請求項２】
　ＯＬＴがＯＡＭ機能情報メッセージをＯＮＵから受信すると、該ＯＮＵにＯＡＭ機能ディスカバリー完了メッセージを伝送する過程をさらに含む請求項１記載の方法。
【請求項３】
　各メッセージを構成するデータフィールドは、ＯＡＭ機能ディスカバリー実行時におけるＯＡＭ機能伝達のための‘Static allocated bandwidth’情報が記録されるフィールド、及びネットワークトポロジーに関する情報が記録されるフィールドをさらに含む請求項１記載の方法。
【請求項４】
　光ファイバによって多数のＯＮＵに接続されたＯＬＴから構成されたイーサネット（登録商標）受動型光加入者ネットワークで伝送ディスカバリーを提供する方法において、
　ＯＬＴが、多数のＯＮＵからの登録要請によって、それぞれのＯＮＵを識別するＩＤを割り当てた後、登録した多数のＯＮＵの登録順によってＯＬＴのＯＡＭ機能情報メッセージを伝送し、第１所定時間内にＯＮＵのＯＡＭ機能情報メッセージの受信を待機する過程と、
　ＯＮＵが、ＯＬＴにＯＮＵのＯＡＭ機能情報メッセージを伝送し、第２所定時間内にＯＬＴから伝送されるＯＡＭ機能ディスカバリー完了メッセージの受信を待機する過程と、からなることを特徴とする方法。
【請求項５】
　ＯＬＴがＯＮＵからのＯＡＭ機能情報メッセージの受信を待機する第１所定時間内に、ＯＮＵからＯＡＭ機能情報メッセージを受信すると、ＯＮＵにＯＡＭ機能ディスカバリー完了メッセージを伝送する過程をさらに含む請求項４記載の方法。
【請求項６】
　ＯＬＴがＯＮＵのＯＡＭ機能情報メッセージの受信を待機する第１所定時間内に、ＯＮＵのＯＡＭ機能情報メッセージを受信しないと、ＯＬＴのＯＡＭ機能情報メッセージをＯＮＵに再伝送する過程をさらに含む請求項４記載の方法。
【請求項７】
　ＯＮＵがＯＡＭ機能情報完了メッセージの受信を待機する第２所定時間内に、ＯＡＭ機能情報完了メッセージを受信しないと、ＯＮＵのＯＡＭ機能情報メッセージを再伝送する請求項４記載の方法。
【請求項８】
　ＯＡＭ機能情報メッセージを構成するデータフィールドは、‘Static allocated bandwidth’情報が記録されるフィールド、及びネットワークトポロジーに関する情報が記録されるフィールドが追加される請求項４記載の方法。
　
【発明の詳細な説明】
【技術分野】
【０００１】
　本発明は、イーサネット（登録商標）受動型光加入者ネットワーク(Ethernet（登録商標） Passive Optical Network: ＥＰＯＮ)に関し、特に、受動型光加入者ネットワーク（ＰＯＮ）においてＯＡＭ(Operations、Administration & Maintenance)機能ディスカバリー(Discovery)方法に関する。
【背景技術】
【０００２】
　現在、ギガビットイーサネット（登録商標）及びＡＴＭ−ＰＯＮ(Asynchronous Transfer Mode Passive Optical Network)用ＭＡＣ技術は、予め標準化が完了された状態であり、その内容は、ＩＥＥＥ ８０２．３ｚ及びＩＴＵ−Ｔ Ｇ．９８３．１に開示されている。ＰＯＮ形態としては、ＡＴＭ−ＰＯＮが先に標準化されたが、ＡＴＭ−ＰＯＮは、所定数のＡＴＭセル(cell)から構成された各フレームを上向または下向に伝送する。特に、ツリー(tree)形態のＰＯＮ構造において、ＯＬＴ(Optical Line Termination)は、その伝送フレーム内に各ＯＮＵ(Optical Network Unit)に分配される下向セルを適切に挿入する。
【０００３】
　図１は、一般的な受動型光加入者ネットワークの物理的ネットワーク構造を示す。
【０００４】
　図１に示すように、受動型光加入者ネットワークは、１つのＯＬＴ１００及びＯＬＴ１００に接続される少なくとも１つのＯＮＵ(１１０−１〜１１０−３)から構成される。図１には、１つのＯＬＴ１００に３つのＯＮＵ(１１０−１〜１１０−３)が接続された例を示す。ＯＮＵ(１１０−１〜１１０−３)には、少なくとも１つの終端使用者(end user)(使用者、または、ネットワーク装置)(１２０−１〜１２０−３)が接続されることができる。使用者(１２０−１〜１２０−３)が伝送するデータ(１３１〜１３３)がＯＮＵ(１１０−１〜１１０−３)を経てＯＬＴ１００に伝送される。
【０００５】
　図１に示したように、８０２．３イーサネット（登録商標）フレームを一対多構造のネットワークを通して伝送するＥＰＯＮ構造において、上向伝送の場合、各ＯＮＵのデータはＴＤＭ(Time Division Multiplexing)方式でアクセスされるようになり、受動素子であるＯＤＮ(Optical Distribution Network)はレンジング(ranging)方法を通してデータ衝突を防止する。つまり、上向伝送時には各ＯＮＵ(１１０−１〜１１０−３)のデータがマルチプレクシングされてＯＬＴ１００に伝送され、下向伝送時にはＯＬＴ１００がブロードキャストしたデータを受信したＯＮＵ(１１０−１〜１１０−３)がそのデータのうち自身が受信するデータのみを選択して受信する。したがって、上下向フレームには、一定間隔でメッセージを送受信できるように専用ＡＴＭセル内または一般ＡＴＭセル内にフィールドを備えている。
【０００６】
　しかし、インターネット技術の発達につれて、加入者側はより多くの帯域幅を要求するようになっており、相対的に高価な装置が必要であり、帯域幅に制限があり、さらに、ＩＰパケットを分割(segmentation)しなければならないＡＴＭ技術よりも、相対的に低価格で、広帯域幅を確保できるギガビットイーサネット（登録商標）によるエンド−エンド(end to end)伝送を目標とするようになってきている。従って、加入者ネットワークのＰＯＮ構造においてもＡＴＭ方式ではないイーサネット（登録商標）方式が要求されるようになっている。
【０００７】
　イーサネット（登録商標）基盤のＰＯＮを利用してサービスを提供するためには、既存のイーサネット（登録商標）には備わっていない機能としてＯＡＭ機能を新しく定義して追加する必要がある。従って、ＩＥＥＥ８０２．３ａｈ ＥＦＭ ＴＦで進行中であるＥＰＯＮ標準化においてＯＡＭを新しく定義しており、現在はＤｒａｆｔ Ｖ１．０まで進行中で、２００３年９月を目標として標準化が進められている。
【０００８】
　現在進行中のＤｒａｆｔ Ｖ１．０で定義されたＯＡＭ機能は、ＩＥＥＥ８０２．３ａｈ ＥＦＭにおいて遠隔故障表示(Remote Failure Indication)機能、遠隔ループバック(Remote Loopback)機能及びリンク監視(Link monitoring)機能を支援する基本的な機能である。従って、効率的なＯＡＭ機能を遂行するためには、ベンダー(Vendor)が定義する機能が追加されるべきである。しかしながら、現在Ｄｒａｆｔ Ｖ１．０にはＯＡＭ機能ディスカバリーに関する細部動作手順が定義されていないので、効率的なＯＡＭ機能を実行するには問題がある。
【０００９】
　つまり、ＯＬＴ１００とＯＮＵ１１０との間にＯＡＭ機能に関するディスカバリー過程がない場合、ベンダーが別途定義して使用するＯＡＭ機能に対しては相互動作を行わないことになる。その理由は、基本フレーム構造は同一であるが、フレーム内の技術方法が異なるので、互いに認識することができないか、または、誤動作を生じさせる可能性があるからである。
【発明の開示】
【発明が解決しようとする課題】
【００１０】
　従って、本発明の目的は、ＯＬＴとＯＮＵが異なるＯＡＭ機能をディスカバリーするためのＯＡＭ機能ディスカバリー方法を提供することにある。
【００１１】
　本発明の他の目的は、ＯＬＴとＯＮＵの双方によって支援可能なＯＡＭ機能を設定して効率的なＯＡＭを遂行するためのＯＡＭディスカバリー方法を提供することにある。
【課題を解決するための手段】
【００１２】
　このような目的を達成するための本発明は、光ファイバによって多数のＯＮＵに接続されたＯＬＴから構成されたＥＰＯＮで伝送ディスカバリーを提供する方法において、ＯＬＴが、多数のＯＮＵからの登録要請によって、それぞれのＯＮＵを識別するための識別子を割り当て、それぞれのＯＮＵの登録順によって、ＯＡＭ機能情報メッセージを登録したＯＮＵに伝送する過程と、ＯＬＴが、ＯＡＭ機能情報メッセージを受信したそれぞれのＯＮＵからＯＡＭ機能情報メッセージを受信する過程と、からなるとよい。
【００１３】
　この方法で、ＯＬＴがＯＡＭ機能情報メッセージをＯＮＵから受信すると、該ＯＮＵにＯＡＭ機能ディスカバリー完了メッセージを伝送する過程をさらに含むとよい。
【００１４】
　各メッセージを構成するデータフィールドは、ＯＡＭ機能ディスカバリー実行時におけるＯＡＭ機能伝達のための‘Static allocated bandwidth’情報が記録されるフィールド、及びネットワークトポロジーに関する情報が記録されるフィールドをさらに含むことができる。
【００１５】
　また、本発明では、光ファイバによって多数のＯＮＵに接続されたＯＬＴから構成されたＥＰＯＮで伝送ディスカバリーを提供する方法において、ＯＬＴが、多数のＯＮＵからの登録要請によって、それぞれのＯＮＵを識別するＩＤを割り当てた後、登録した多数のＯＮＵの登録順によってＯＬＴのＯＡＭ機能情報メッセージを伝送し、第１所定時間内にＯＮＵのＯＡＭ機能情報メッセージの受信を待機する過程と、ＯＮＵが、ＯＬＴにＯＮＵのＯＡＭ機能情報メッセージを伝送し、第２所定時間内にＯＬＴから伝送されるＯＡＭ機能ディスカバリー完了メッセージの受信を待機する過程と、からなることを特徴とする方法を提供する。
【００１６】
　この方法は、ＯＬＴがＯＮＵからのＯＡＭ機能情報メッセージの受信を待機する第１所定時間内に、ＯＮＵからＯＡＭ機能情報メッセージを受信すると、ＯＮＵにＯＡＭ機能ディスカバリー完了メッセージを伝送する過程をさらに含むとよい。
【００１７】
　また、ＯＬＴがＯＮＵのＯＡＭ機能情報メッセージの受信を待機する第１所定時間内に、ＯＮＵのＯＡＭ機能情報メッセージを受信しないと、ＯＬＴのＯＡＭ機能情報メッセージをＯＮＵに再伝送する過程をさらに含むとよい。
【００１８】
　さらに、ＯＮＵがＯＡＭ機能情報完了メッセージの受信を待機する第２所定時間内に、ＯＡＭ機能情報完了メッセージを受信しないと、ＯＮＵのＯＡＭ機能情報メッセージを再伝送するとよい。
【００１９】
　ＯＡＭ機能情報メッセージを構成するデータフィールドは、‘Static allocated bandwidth’情報が記録されるフィールド、及びネットワークトポロジーに関する情報が記録されるフィールドが追加されるとよい。
【発明の効果】
【００２０】
　本発明は、‘3 way handshaking’基盤のＯＡＭ機能ディスカバリー手順を定義することによって、ＯＡＭ情報交換を効率的に処理することができ、メッセージの受信待機時間である‘discovery_time’を設定することによって、ＯＡＭ機能ディスカバリー時に送受信されるメッセージ(Initiate_OAM_Discovery、Report_OAM_Discovery、Complete_OAM_Discovery)の高信頼性を提供することができる。
【発明を実施するための最良の形態】
【００２１】
　以下、本発明に従う好適な一実施形態について添付図を参照しつつ詳細に説明する。下記の説明において、本発明の要旨のみを明確にする目的で、関連した公知機能または構成に関する具体的な説明は省略する。
【００２２】
　本発明の一実施形態によるＯＡＭ機能ディスカバリー(OAM Capability Discovery)過程は、図２に示すように、ＯＬＴ１００とＯＮＵ１１０との間のディスカバリー(discovery)過程が完了した後、すぐに実行される。図２は、本発明の一実施形態によってＯＬＴ１００とＯＮＵ１１０との間にＯＡＭ機能ディスカバリー過程が遂行される時点を示す図である。図２を参照すれば、１０段階(DISCOVERYSTEP)で、ＯＬＴ１００が接続されたＯＮＵ１１０からの登録要請に応じて各ＯＮＵ１１０を識別するＩＤを割り当てるディスカバリー過程を実行し、２０段階(OAM CAPABILITY DISCOVERY STEP)に進行する。２０段階で、ＯＬＴ１００及びＯＮＵ１１０は、それぞれの機能をディスカバリーするＯＡＭ機能ディスカバリー過程を実行し、３０段階(OTHER STEP)に進行して他の多数の過程を実行する。
【００２３】
　本発明の一実施形態によるＯＡＭ機能ディスカバリー過程による動作手順は、‘3 way handshaking’を基盤にする。これによって、送受信されるメッセージの種類は、３種類であり、ＯＬＴのＯＡＭ機能情報メッセージである“Initiate_OAM_Discovery”メッセージ、ＯＮＵのＯＡＭ機能情報メッセージである“Report_OAM_Discovery”メッセージ、及びＯＡＭ機能ディスカバリー完了メッセージである“Complete_OAM_Discovery”メッセージから構成される。また、各メッセージ交換時の信頼性を高めるために、伝送したメッセージに対応して受信する対応メッセージの受信待機時間であるdiscovery_timeを予め設定する。
【００２４】
　図３を参照して、ＯＡＭ機能ディスカバリー過程によってＯＬＴ１００及びＯＮＵ１００がメッセージを送受信する過程を説明する。図３は、本発明の一実施形態によるＯＡＭ機能ディスカバリー過程の細部段階を示す図である。図３を参照すれば、ＯＬＴ１００は、２１段階で、“Initiate_OAM_Discovery”メッセージを使用してＯＬＴ１００のＯＡＭ機能を、登録されたＯＮＵ１１０に伝送することによって、ＯＡＭ機能ディスカバリーを開始する。この時、ＯＬＴ１００は、一定時間(discovery_time)内にＯＮＵ１１０から“Report_OAM_Discovery”メッセージを受信しないと、一定時間内に“Report_OAM_Discovery”メッセージを受信するまで“Initiate_OAM_Discovery”メッセージを再伝送する。
【００２５】
　ＯＬＴ１００から“Initiate_OAM_Discovery”メッセージを受信したＯＮＵ１１０は、２３段階で、“Report_OAM_Discovery”メッセージを使用してＯＮＵ１１０のＯＡＭ機能をＯＬＴ１００に伝送する。この時、ＯＮＵ１１０は、一定時間(discovery_time)内にＯＬＴ１００から“Complete_OAM_Discovery”メッセージを受信しないと、一定時間内に“Complete_OAM_Discovery”メッセージを受信するまで“Report_OAM_Discovery”メッセージを再伝送する。
【００２６】
　ＯＮＵ１１０から“Report_OAM_Discovery”メッセージを受信したＯＬＴ１００は、２５段階で、“Complete_OAM_Discovery”メッセージをＯＮＵ１１０に伝送し、ＯＬＴ１００とＯＮＵ１１０との間のＯＡＭ機能ディスカバリーの終了を知らせる。
【００２７】
　図４及び図５は、前述したような過程によるＯＬＴ１００及びＯＮＵ１１０のそれぞれの動作過程を示す。まず、図４を参照して、本発明の一実施形態によるＯＡＭ機能ディスカバリー過程によるＯＬＴ１００の動作を説明する。ＯＬＴ１００は、１０１段階(TRANSMIT INITIATE_OAM_DISCOVERY MESSAGE)で、ＯＡＭ機能ディスカバリーを開始するために、ＯＬＴ１００のＯＡＭ機能が記録された“Initiate_OAM_Discovery”メッセージを、登録されたＯＮＵ１１０に伝送し、１０３段階(WAIT FOR RECEPTION OF REPORT_OAM DICOVERY MESSAGE DURING A PREDETERMINED TIME)に進行する。１０３段階で、ＯＬＴ１００は、予め決定された時間の間にＯＮＵ１１０から“Report_OAM_Discovery”メッセージの受信を待機する。そして、１０５段階(REPORT_OMA_DIOSCOVERY MESSAGE IS RECEIVED DURING A PREDETERMINED TIME ?)で、ＯＬＴ１００は、予め決定された時間内にＯＮＵ１１０から“Report_OAM_Discovery”メッセージを受信すると、１０７段階(TRANSMIT COPLETE_OAM_DISCOVERY MESSAGE)に進行する。一方、予め決定された時間内にＯＮＵ１１０から“Report_OAM_Discovery”メッセージを受信しないと、１０１段階に進行して１０１段階〜１０５段階を反復実行する。
【００２８】
　１０７段階で、ＯＬＴ１００は、“Complete_OAM_Discovery”メッセージをＯＮＵ１１０に伝送し、ＯＡＭ機能ディスカバリー過程を終了する。
【００２９】
　次に、図５を参照して、本発明の一実施形態によるＯＡＭ機能ディスカバリー過程によるＯＮＵ１１０の動作を説明する。図５は、本発明の実施形態によるＯＡＭ機能ディスカバリー過程によるＯＮＵ動作状態を示す図である。ＯＮＵ１１０は、１１１段階(RECEIVE INITIATE_OAM_DISCOVERY MESSAGE)で、ＯＬＴ１００から“Initiate_OAM_Discovery”メッセージを受信し、１１３段階(TRANSMIT REPORT_OAM_DISCOVERY MESSAGE)に進行する。１１３段階で、ＯＮＵ１１０は、ＯＮＵ１１０のＯＡＭ機能を記録した“Report_OAM_Discovery”メッセージをＯＬＴ１００に伝送し、１１５段階(WAIT FOR RECEPTION OF COMPLETE_OAM_DISCOVERY MESSAGE DURING A PREDETERMINED TIME)に進行する。１１５段階で、ＯＮＵ１１０は、予め決定された時間内にＯＬＴ１００から“Complete_OAM_Discovery”メッセージの受信を待機する。以後、１１７段階(COMPLETE_OAM_DISCOVERY MESSAGE IS RECEIVED DURING A PREDETERMINED TIME ?)で、ＯＮＵ１１０は、予め決定された時間内にＯＬＴ１００から“Complete_OAM_Discovery”メッセージを受信すると、ＯＡＭ機能ディスカバリー過程を終了する。一方、予め決定された時間内にＯＬＴ１００から“Complete_OAM_Discovery”メッセージを受信しないと、１１３段階に進行して、１１３段階〜１１７段階を反復遂行する。
【００３０】
　このようなＯＡＭ機能ディスカバリー過程で送受信される各メッセージのデータフィールド構造を図６〜図８を参照して説明する。図６は、本発明の一実施形態によるＯＡＭ状態ＰＤＵデータフィールド構造を示す図であり、実質的にＯＡＭ機能ディスカバリー過程で送受信される各メッセージのデータフィールド構造である。本発明の一実施形態による各メッセージのデータフィールド構造は、従来のＯＡＭ状態ＰＤＵデータフィールド構造に、それぞれの長さが１バイトである“Local_Allocted_channel”フィールド２０３及び“Far_End_Allocted_channel”フィールド２０９、“Local_Topology”フィールド２０５、及び“Far_End_Topology”フィールド２１１を追加定義し、“Local_State”フィールド２０１及び“Far_End_State”フィールド２０７を新しく定義することによって構成されている。
【００３１】
　“Local_Allocted_channel”フィールド２０３及び“Far_End_Allocted_channel”フィールド２０９は、ＯＡＭ機能ディスカバリー実行時におけるＯＡＭ機能情報伝達のための‘Static allocated bandwidth’情報が記録されるフィールドである。さらに、“Local_Topology”フィールド２０５及び“Far_End_Topology”フィールド２１１は、ＯＡＭ機能ディスカバリー実行時において、点対点ネットワーク構造でるか、点対多点ネットワーク構造であるかを示すネットワークトポロジー(network topology)に関する情報伝達のためのフィールドである。
【００３２】
　本発明の一実施形態において新しく定義した“Local_State”フィールド２０１及び“Far_End_State”フィールド２０７は、ＯＡＭ機能ディスカバリー過程で送受信される各メッセージの種類に関する情報を含むフィールドである。このような“Local_State”フィールド２０１及び“Far_End_State”フィールド２０７のビットエンコーディング構造を図７に示す。
【００３３】
　図７に示すように、“Local_State”フィールド２０１及び“Far_End_State”フィールド２０７は、従来の“Local_State”フィールド及び“Far_End_State”フィールドのビットエンコーディング構造においてＤ６ビット及びＤ７ビットを“Capability Discovery State”(CD State)フィールドとして新しく定義することによって、ＯＡＭ機能ディスカバリー過程で送受信される各メッセージの種類を示すようになる。
【００３４】
　“CD state”フィールドの値によって区分されるメッセージ種類を図８のテーブルに記載する。図８に示すように、“Initiate_OAM_Discovery” メッセージは、CD state = 01、“Report_OAM_Discovery”メッセージは、CD state = 10、“Complete_OAM_Discovery”メッセージは、CD state = 11の値を有する。さらに、ＯＡＭ機能ディスカバリーが完了した後、OAM Status PDU[0x00]を使用するＯＡＭメッセージは、CD state = 00に表示して区分する。
【００３５】
　前述の如く、具体的な一実施形態を参照して本発明を詳細に説明してきたが、本発明の範囲はこのような一実施形態によって限られるべきではなく、本発明の範囲内で様々な変形が可能であるということは、当該技術分野における通常の知識を持つ者には明らかである。
【図面の簡単な説明】
【００３６】
【図１】一般的なＰＯＮの物理的ネットワーク構造を示す図。
【図２】本発明の一実施形態によってＯＬＴとＯＮＵとの間にＯＡＭ機能ディスカバリー過程が実行される時点を示す図。
【図３】本発明の一実施形態によるＯＡＭ機能ディスカバリー過程の細部段階を示す図。
【図４】本発明の一実施形態によるＯＡＭ機能ディスカバリー過程によるＯＬＴ動作状態を示す図。
【図５】本発明の一実施形態によるＯＡＭ機能ディスカバリー過程によるＯＮＵ動作状態を示す図。
【図６】本発明の一実施形態によるＯＡＭ状態ＰＤＵのデータフィールド構造を示す図。
【図７】本発明の一実施形態による“local/far_end_state”フィールドのビットエンコーディング構造を示す図。
【図８】本発明の一実施形態による“local/far_end_state”フィールドのビットエンコーディングによるメッセージ種類を示すテーブル。
【図１】
2004112803.tif 000003
【図２】
2004112803.tif 000004
【図３】
2004112803.tif 000005
【図４】
2004112803.tif 000006
【図５】
2004112803.tif 000007
【図６】
2004112803.tif 000008
【図７】
2004112803.tif 000009
【図８】
2004112803.tif 000010